(57)【要約】【課題】作業者が片手で掴んで簡単容易に持ち運びできる作業台を提供すること。【解決手段】天板１の長手方向中央部に、作業者の手又は指が入る程度の開口部３を設けると共に、この開口部３には天板表面に突出することのない作業台把持用の手掛け部４を設ける。【選択図】図２
2006022530.tif 000002
【特許請求の範囲】
【請求項１】
天板の長手方向中央部に、作業者の手又は指が入る程度の一つ又は複数の開口部を設けると共に、該開口部には天板表面に突出することのない作業台把持用の手掛け部を設けてなる可搬式作業台。
【請求項２】
前記開口部は天板の長手方向中央部と幅方向中央部との交差部分に設けられてなる請求項１に記載の可搬式作業台。
【請求項３】
前記作業台把持用の手掛け部は、天板裏面にその天板長手方向に設けられた補強桟によって形成される請求項１又は２に記載の可搬式作業台。
【請求項４】
前記作業台把持用の手掛け部は、前記開口部の裏面側周縁部からなる請求項１又は２に記載の可搬式作業台。
【発明の詳細な説明】
【技術分野】
【０００１】
本発明は、天板とこれの前後両端部（妻側端部）に設けられた支持脚とからなる可搬式の作業台に関するものである。
【背景技術】
【０００２】
従来のこの種の可搬式作業台は、特許公報等の具体的な公知文献を挙げるまでもなく、天板と、この天板の妻側端部に折り畳み自在に又は固定的に設けられた支持脚とからなるもので、通常は８〜１０kg程度の重量のものが多く使用されている。そして、この可搬式作業台の使用にあたって、作業者が或る場所での作業を終えた後、次の場所へ作業台を移動させるのに、二人の作業者で移動させる時は、天板の長手方向両端部（前後両端部）を夫々把持すればよいし、作業者が一人で作業台を移動させる時は、天板長手方向中央部分の幅方向両側部（左右両側部）をその一側部側から両手で掴んで抱えるようにして移動させる。
【発明の開示】
【発明が解決しようとする課題】
【０００３】
この種の可搬式作業台は、上記のように作業者一人ででも移動させることはできるが、従来の作業台には把手のようなものがないため、一人では持ち運びが難しく、また例えば建物壁面の塗装作業を行っているような場合、作業者は、通常片方の手に塗装スプレー等の道具を持っていることが多く、しかして或る場所での塗装作業を終えた後、次の場所へ作業台を一人で移動させるには、手に持った道具を一旦その場所に置いて、作業台を次の作業場所まで移動した後に元の場所へ道具を取りに行かなければならず、作業能率が悪いと云った問題がある。
【０００４】
本発明は、上記の問題点に鑑み、作業者が片手で掴んで簡単に持ち運びできる作業台を提供することを目的とする。
【課題を解決するための手段】
【０００５】
上記課題を解決するための手段を、後述する実施形態の参照符号を付して説明すると、請求項１に係る発明の可搬式作業台は、天板１の長手方向中央部と幅方向中央部との交差部分に、作業者の手又は指が入る程度の一つ又は複数の開口部３，１３，２３を設けると共に、該開口部には天板表面に突出することのない作業台把持用の手掛け部４，１４，２４を設けてなることを特徴とする。
【０００６】
請求項２は、請求項１に記載の可搬式作業台において、前記開口部３，１３，２３は天板１の長手方向中央部と幅方向中央部との交差部分に設けられてなることを特徴としている。
【０００７】
請求項３は、請求項１又は２に記載の可搬式作業台において、前記作業台把持用の手掛け部４，１４は、天板裏面にその天板長手方向に設けられた補強桟１ｃによって形成されることを特徴とする。
【０００８】
請求項４は、請求項１又は２に記載の可搬式作業台において、前記作業台把持用の手掛け部２４は、前記開口部２３の裏面側周縁部からなることを特徴とする。
【発明の効果】
【０００９】
上記解決手段による発明の効果を、後述する実施形態の参照符号を付して説明すると、請求項１に係る発明によれば、天板１の開口部３，１３，２３に作業者の手又は指を入れて、手掛け部４，１３，２４に手又は指を掛けることによって天板１を把持できるから、作業台を片手で楽に持ち運び移動することができる。
【００１０】
また、開口部３，１３，２３は、天板１の長手方向中央部に設けられているから、この開口部３，１３，２３に手又は指を入れて天板１を把持すれば、天板１は長手方向両端部側のバランスがとれて、前後に傾くようなことがなく、安定した状態で持ち運ぶことができる。
【００１１】
請求項２に記載のように、開口部３，１３，２３を天板１の長手方向中央部と幅方向中央部との交差部分に設けた場合は、この開口部３，１３，２３が天板１の丁度真ん中に位置するから、天板１を非常にバランスよく把持することができ、前後はもちろんのこと、左右に揺れることもなく、きわめて安定な状態で容易に持ち運ぶことができる。また、天板１の長手方向両側部の左右何れの側部からでも簡単容易に天板１を把持することができる。
【００１２】
請求項３に係る発明によれば、作業台把持用の手掛け部４，１４は、天板裏面にその天板長手方向に設けられた補強桟１ｃを利用して形成されるから、特別に手掛け部４，１４を形成する必要はなく、その製作にあたって、天板１に開口部３，１３を形成するだけでよく、製作が容易で、安価に提供できる。
【００１３】
請求項４に係る発明によれば、作業台把持用の手掛け部２４は、開口部２３の裏面側周縁部からなるもので、特別に手掛け部２４を形成する必要はなく、天板１に開口部２３を形成するだけでよいから、製作が容易で、安価に提供できる。
【発明を実施するための最良の形態】
【００１４】
図１の(a) は本発明に係る作業台の平面図、(b) は正面図、(c) は端面図であり、図２の(a) は図１の矢印イで示す部分の拡大図、(b) は(a) のＸ−Ｘ線断面図である。これらの図に示すように、この作業台は、天板１と、この天板１の妻側端部、即ち左右両端部に夫々設けられた支持脚２，２とからなるもので、天板１の長手方向中央部と幅方向中央部との交差部分に、作業者の手Ｈの指ｐ，ｉ，ｍ，ａ，ｃ（図２の(a) 及び(b) 参照）が入る程度の一つの開口部３が設けられると共に、この開口部３には天板１表面に突出することのない作業台把持用の手掛け部４が設けられている。尚、この作業台は、８〜１０ｋｇ程度の重量を有するものとする。
【００１５】
上記作業台の構造について更に詳しく説明すると、両支持脚２，２は、夫々の上端部が天板１の左右端部である妻側端部に回転連結金具５，５により連結されて、図２の(b) に示すように末広がり状に示すように傾斜して起立した開脚姿勢と、図示は省略するが天板１の下面に沿って略平行に折り畳まれた閉脚姿勢との間で開閉可能となっている。各支持脚２は、図２の(c) に示すように末広がり状に配置される左右両側一対の脚柱６，６と、両脚柱６，６杆に複数段に取り付けられる踏桟７とからなる。各脚柱６は、下端に脚端具６ａを取り付けた伸縮脚６ｂによって伸縮可能に構成されている。
【００１６】
天板１は、図２の(b) に示すようなアルミニウム合金の押し出し型材からなる天板本体１ａと、同じくアルミニウム合金の押し出し型材からなり、天板本体１ａの妻側端部に外嵌して取り付けられる端部取付部材１ｂとから構成され、そして天板本体１ａの裏面には幅方向中央部に長手方向に沿って補強桟１ｃが取り付けられている（図２の(b) 参照）。この補強桟８もアルミニウム合金の押し出し型材からなる。
【００１７】
前記開口部３は、天板本体１ａの長手方向中央部と幅方向中央部との交差部分を図２の(a) に示すような略方形状に切り抜いて形成されたもので、この開口部３の内部を左右に二分するように前後方向（天板長手方向）に貫通している補強桟１ｃによって前記手掛け部４が形成される。この開口部３は、図２の(a) 及び(b) に示すように、手掛け部４を挟んでその一方側に手Ｈの人指し指ｉ、中指ｍ、薬指ａ及び小指ｃの４本が余裕を持って入り、この状態で手掛け部４を挟んでその反対側に親指ｐが余裕を持って入るように形成されている。
【００１８】
上記のように構成される作業台を、図１の(a) 〜(c) に示されるような開脚姿勢のまま持ち運ぶ時は、図２の(a) 及び(b) に示すように、作業者が天板１の左右両側部の何れか一方側から開口部３に片方の手Ｈを入れて手掛け部４を把持し、そのまま持ち上げれば、作業台の重量は８〜１０ｋｇ程度であるから、片手で楽に持ち運び移動させることができる。
【００１９】
従って、この場合、作業者が一方の手に道具を持っていても、もう一方の手で上記のように作業台を持つことができるから、作業者は一方の手で道具を持ったまま、他方の手で作業台を把持して、所定の場所まで作業台を容易に持ち運んで移動させることができる。またこの場合、作業者が手を入れる開口部３は、天板１の長手方向中央部と幅方向中央部との交差部分、つまり天板１の丁度真ん中に設けられているから、この開口部３内の手掛け部４を把持すれば、天板１は長手方向両端部側のバランスがとれて、前後に傾いたり、左右揺れたりすることがなく、きわめて安定な状態で持ち運ぶことができる。また、天板１の前後何れの側部からでも天板１を容易に把持することができる。
【００２０】
図３の(a) は本発明に係る他の作業台の平面図、(b) は正面図、(c) は端面図であり、図４の(a) は図３の矢印ロで示す部分の拡大図、(b) は(a) のＹ−Ｙ線断面図である。この作業台も、天板１と、天板１の妻側端部に夫々設けられた支持脚２，２とからなる、図１及び図２の作業台と同様な折り畳み自在のものであるが、この作業台では、天板１の長手方向中央部と幅方向中央部との交差部分に二つの開口部１３，１３が設けられていて、両開口部１３，１３の間に天板１表面に突出することのない作業台把持用の手掛け部１４が形成されている。二つの開口部１３，１３は、作業者の手Ｈの親指ｐと、人指し指ｉから小指ｃまでの４本の指ｉ〜ｃが分かれて入るように形成されたもので、一方の開口部１３に例えば親指ｐを入れると、他方の開口部には他の４本の指ｉ〜ｃを入れるようになっている。
【００２１】
各開口部１３は、天板本体１ａの長手方向中央部と幅方向中央部との交差部分を図４の(a) に示すように左右片側半分ずつ長円形状に切り抜いて形成されたもので、両開口部１３，１３の間に天板本体１ａの一部分１ａｏが残っており、この残った天板１の一部分１ａｏの下側に補強桟１ｃが位置しており、しかして両開口部１３，１３間にある天板１の一部分１ａｏとその下側にある補強桟１ｃによって前記手掛け部４が形成される。この作業台の他の構成については、図１及び図２に示す作業台と同じ構成であるため、同一部材には同一符号を付して、説明を省略する。
【００２２】
上記のような構成の作業台を、図３の(a) 〜(c) に示されるような開脚姿勢のまま持ち運ぶ時は、図４の(a) 及び(b) に示すように、作業者が天板１の左右側部の何れか一方側から両開口部１３，１３のうち手前側の開口部１３に手Ｈの親指ｐを入れ、先方側の開口部１３に人指し指ｉと中指ｍと薬指ａと小指ｃの４本を入れて、両開口部１３，１３間の手掛け部４を把持することによって、この作業台を片手で楽に持ち運び移動させることができる。
【００２３】
図５の(a) は本発明に係る更に他の作業台の平面図、(b) は正面図であり、図６は図５のＺ−Ｚ線拡大断面図である。この作業台は、天板１と、この天板１の妻側端部に夫々固定的に設けられた支持脚２，２とからなるもので、図５の(a) に示すように、天板１には天板本体１ａの長手方向中央部と幅方向中央部との交差部分に、４つの開口部２３…が、正方形の四隅部位に位置するように設けられると共に、各開口部２３には天板１表面に突出することのない作業台把持用の手掛け部２４が設けられている。
【００２４】
これらの４つの開口部２３…には作業者の手Ｈの５本の指ｐ，ｉ，ｍ，ａ，ｃのうち何れか３本の指、例えば親指ｐと人指し指ｉと中指ｍ、あるいは親指ｐと中指ｍと薬指ａを入れて、各指を手掛け部２４に掛けた状態で天板本体１ａを把持するようになっている。手掛け部２４は、図６に示すように各開口部２３の裏面側周縁部からなるものである。
【００２５】
上記のように天板１に４つの開口部２３…を設けた作業台を移動させる時は、作業者がこれら４つの開口部２３…のうちの３つの開口部２３，２３，２３に、例えば図６にその一部を示すように親指ｐと人指し指ｉと中指ｍ（又は薬指ａ）の３本を入れて、各指を手掛け部２４に掛けた状態で天板本体１ａを把持することによって、この状態で作業台を片手で楽に持ち運び移動させることができる。
【００２６】
天板１の長手方向中央部と幅方向中央部との交差部分に開口部２３を、三つではなく、四つ設け、また正方形の四隅部位に位置するように設けているのは、左右何れの手Ｈでも使用でき、また天板１の左右側部の何れの側部からも手Ｈを伸ばすことができるようにすると共に、５本の指のうち最も使い易く力を入れ易い３本の指を挿入させることができるようにするためである。
【００２７】
以上の実施形態では、開口部３，１３，２３を天板１の長手方向中央部と幅方向中央部との交差部分、即ち天板１の丁度真ん中に設けたが、この開口部３，１３，２３は、天板１の長手方向中央部で幅方向に関してはその中央部から多少左右側部側へ偏寄した位置に設けてもよい。この場合でも、開口部３，１３，２３は長手方向中央部に位置するから、天板１を確実に把持すれば、天板１は長手方向両端部側のバランスがとれて、安定状態で持ち運ぶことができる。
【図面の簡単な説明】
【００２８】
【図１】(a) は本発明に係る作業台の平面図、(b) は正面図、(c) は端面図である。
【図２】(a) は図１の矢印イで示す部分の拡大図、(b) は(a) のＸ−Ｘ線拡大断面図である。
【図３】(a) は本発明に係る他の作業台の平面図、(b) は正面図、(c) は端面図である。
【図４】(a) は図３の矢印ロで示す部分の拡大図、(b) は(a) のＹ−Ｙ線拡大断面図である。
【図５】(a) は本発明に係る更に他の作業台の平面図、(b) は正面図である。
【図６】図５のＺ−Ｚ線拡大断面図である。
【符号の説明】
【００２９】
１          天板
１ａ        天板本体
１ｃ        補強桟
２          支持脚
３          開口部
４          手掛け部
１３        開口部
１４        手掛け部
２３        開口部
２４        手掛け部
【図１】
2006022530.tif 000003
【図２】
2006022530.tif 000004
【図３】
2006022530.tif 000005
【図４】
2006022530.tif 000006
【図５】
2006022530.tif 000007
【図６】
2006022530.tif 000008